(57)【要約】【課題】  不正記録媒体の使用を有効に防止する。【解決手段】  金額や正当性などの景品情報を記憶可能な記録媒体８と、前記記録媒体８に記録された景品情報を読取るための読取り手段２とからなり、前記読取り手段２で読取った景品情報に基づいて景品の正当性、金額などを照合し、演算する制御部および制御部で得られた判定情報の出力部を一括して読み取り、前記記録媒体の野直近情報と、情報管理本体に記録されている各別の直近データと照合し、前記照合の確実な結果を前記記憶媒体８に記憶させ、再度、同じ記録媒体８の利用を防止する。【選択図】図２０
2008192116.tif 000002
【特許請求の範囲】
【請求項１】
少なくとも金額や正当性などの景品情報を記憶可能なＦＲＩＤタグ（電子タグ）又はＩＣを備えた記憶媒体、例えばカード型及びスティク型、或いはチップ型、又は包袋状記録媒体と、前記記憶媒体のＦＲＩＤタグ（電子タグ）に記録された景品情報を読取るための読取り手段とからなり、前記読取り手段が前記景品情報を読取るための読取部、前記読取部で読取った景品情報に基づいて前記景品の正当性、金額などを照合し、演算する制御部および前記制御部で得られた判定情報の出力部を有する複数の直列した記憶媒体を一括してその情報の読取装置において読み取り、前記記録媒体の直近情報と、情報管理本体に記録されている各個の夫夫の直近データと照合し、前記照合の確実な結果を前記記憶媒体に記憶させ、再度同じ記憶媒体の利用を防止する。前記記憶媒体記載の情報の照合の結果は演算され記録部によって処理される。前記の相互の情報が一致した場合は前記記憶媒体の使用を容認し、不一致の場合は前記記憶媒体の使用を不許可とし即時警報を警告灯、及び音声によって発し、且つ、表示部に複数有る記憶媒体のどれが異状であるかをも表示部に示す事が出来る記憶媒体情報読取装置。
【請求項２】
前記読取手段が、先ず記憶媒体そのものの正否を電気的・磁気的・又はレザー光線・ビーム・反射、及び発光ダイード等の光学的手段、又は、音波・更には光の素子等の超微分可能な照射線、原子素子等の手段により前記記憶媒体そのものの正否を識別確認する手段と、前記記録媒体のＦＲＩＤタグ又はＩＣチップを付帯した記憶媒体記載の情報を、例えば、前記情報を一括して誤認無く読み取る手段を有する請求項１記載の記憶媒体情報読取装置。
【請求項３】
前記景品情報読み取り装置に置かれた記録媒体の有無及び個数、更には前記記憶媒体固有の記号の正否の確認照合、及び、前記各個別情報の結果の正否を即時表示部に光学的および音声により開示し、且つそれらデータが適性な場合に限り、前記景品情報読み取り装置を駆動する承認を与える装置を有する請求項１又は２記載の景品情報読み取り装置
【請求項４】
前記景品情報読み取り装置が記録媒体に記録された情報の書き換え、情報の追加又は、削除が可能である請求項１，２又は３記載の景品情報読み取り装置。
【請求項５】
前記景品情報読み取り装置が、読み取り装置と一体又は別体として形成されている請求項１，２，３又は４記載の景品情報読み取り装置。
【請求項６】
前記景品情報読み取り装置が読取機本体と特定の特定条件により作動する請求項１，２，３，４又は５記載の景品情報読み取り装置。
【請求項７】
前記景品情報読み取り装置が前記記憶媒体の各種使用の目的、更に種別により独自の働きを可能とする請求項１，２，３，４，５，又は６記載の景品情報読み取り装置。
【請求項８】
前記景品（記録媒体）に記憶した承認データを利用毎消滅する事により再度利用を不可能にし不正防止としてもよく、定期的、不定期又は時間的、日時的、曜日毎任意に書換る事により不正防止を可能とする請求項１，２，３，４，５，６，又は７記載の景品情報読み取り装置。
【請求項９】
前記景品（記録媒体）において、前記景品である記憶媒体には、基本的各個別固有、固定の景品記号が記載されているが、この記号のうちの幾つかを景品（記憶媒体）の使用時、前記景品の正当性、金額などを照合し、演算後別の記号を付して次の利用に備える事を特徴とした請求項１，２，３，４，５，６，７，又は８記載の景品情報読み取り装置。
【請求項１０】
前記読取装置本体により記憶媒体葉、例えばカード、チップ、タグ、冊子、バー等の形式であるが、この記憶媒体を複数読み取る場合必要とされるのは各個別に記憶されたデータの確認てせあるが、その個別認識の読み取り手段として、磁気、光学的、赤外線、レザー光線、波長の種類、ビーム、音波、振動、放射線などの処理によって個別識別を正確にする事を特徴とした前記システムを有する請求項１，２，３，４，５，６，７，８又は９記載の景品情報読み取り装置。
【発明の詳細な説明】
【技術分野】
【０００１】  本発明は、一例を上げれば各種の用途に利用可能な料金支払いシステムに関する装置であって、特に記憶媒体、例えば磁気カード、ＩＣチップ、ＩＣタグ、特殊バーコード、特殊カラーコード、形状コード、ビックバンコード方式等を用いている記憶媒体複数のデータを瞬時一括識別し、前記記憶媒体が有するデータの情報処理を行うと共に、前記媒体の異常、改造、変造、偽造を識別し音声、振動、表示等により各項目毎のデータを表示し、異常があれば音声、並びに表示による通報を行う事を併設し不正記憶媒体の使用を防止するという特殊な技術分野におけるシステムに関するものである。
【技術背景】
【０００２】  従来、特に一例をあげればパチンコ又はスロットル遊戯における特殊景品の情報確認及び照合法は「参考文献特開平９−１０４１８号」にみられるように、景品交換用テップの金銭等との交換価値を識別するために磁石を用いた機械式機能によるものや、［参考文献特開平７−２４６２８１号］のように景品そのものに制御基盤を持たせ識別情報及び使用可能情報を消去し清算機で清算する手段を有する走査行為の３点式特殊景品交換機が有る。又、他の例を挙げれば「Ｐｒｏ・インスペクター」であり、この諸表に「１秒４枚」と確認速度が示されている。操作はボタンによる操作手順を必要としています。又他に「イン・ミニ」によると認識性を「カードを重ねて６枚／１秒」と記載され、「重ねてイッキに読み取るのは当社のみ」と６枚１秒が最速であるとその特異性がアッピールされています。  前記現在最優秀とされる上記参考品システムも機械式であり、モーターを用いたベルト駆動方式は駆動熱を発生し、部品の摩耗や故障の原因とります。  前記現行品にはバーコードをカメラで読み取り確認する技術が用いられており、その結果、カードをダルマ落とし式に弾くのでカード自体へのダメージもあり、又別途に水平にカードを落とした平ベルトコンベアにカードを乗せて移動させながら読み取る方式があり、１秒／４〜６枚とスピード化されておりません。  又別の参考資料によるとモーターとギアーを用いた機械式読取機においてカードを機械右に水平に積み上げ、達磨落とし式に再下段のカードを弾き、その滑走中にバーコードを識別するシステムが開示されており、該処理能力は１秒／４枚との能力が示されている。
【発明の開示】
【発明が解決しようとする課題】
【０００３】  本発明が解決しようとする課題は、上記現行品を遥かに凌ぎ、記憶媒体を読み取り機の金額の異なる記憶媒体複数（３０枚）を前記記憶媒体収納部にセットし瞬時に清算が可能であるとことは言うまでもなく、各種の用途に応じて使用する機能を有するものであり、極めて便利で広範囲に利用ができ使用方法が簡潔であります。価格別に記憶媒体を記憶書き込み装置に収納すれば２００枚から５００枚の新規データ書き込みも可能で、該書き込みによる用途の拡張、日変わりデータへの利用、その管理、及び外攻的防犯、内部的防犯、データ管理の的確性に優れ、極めて優位な防犯性に優れた景品情報読み取り装置を提供するものである。
【発明を解決するための手段】
【０００４】  前記課題を解決する為に、本発明である景品情報読み取り装置は、少なくとも記憶媒体の厚さ約３ミリメートル以下という薄い厚さの記憶媒体ケースを使用し、該ケースに組み込まれたＦＲＩＤタグデータを複数一度に重ねた読み取り状態で前記記憶媒体同士が干渉する事なく読み取れる特殊な方法によりＦＲＩＤタグを組み込まれたデータを、前記読取手段により前記組み込まれた各種データを一瞬の内に纏めて２０ケ／４秒乃至３０ケ／６秒で誤認無く読み取り処理し各種現金により清算支払いを完了する。
【０００５】  前記景品情報読み取り装置の制御装置に接続された景品情報読取装置は、前記ＦＲＩＤ（電子タグ）固有のデータを前記読取装置の記憶部記憶されている該記ＦＲＩＤ固有のデータと照合確認し、該データが該ＦＲＩＤ固有に付された正規なデータである事をもって前記支払の承認の指令を発する機能を有している景品情報読み取り装置。
【発明の効果】
【０００６】  本発明による支払いは、前記本発明利用のＦＲＩＤに記憶されたデータを瞬時２０ケ／４秒乃至３０ケ／６秒で確実に読取り、識別し、且つ演算した結果のデータを金銭自動支払磯（ＣＤ）伝達し適当額を紙幣コインに識別選別し払い出しを行うものでるが、該演算の結果を支払機記自体に組み込まれた記憶部に記憶すると共に、前記データを指定した所定の部位に有線或いは無線にて送受信する事により管理能力を高め、更に最終的清算状態を記憶媒体読取装置を経由して上級記憶部に記憶し、必要においてのみ該データを光学的及び記載情報として一定の表示板に表示するなどの機能を備え、設置場所が例え２平方メートルという極狭い密閉され、且つ、電気機器が充満する場所に置いても他の電気的影響を受ける事ない機能を有することを具備すると共に、電気的機構によりエコ機能を満足させる事が出来るなど現在にない優れた利点を有しております。
【０００７】  利用の一例を挙げれば、遊戯用換金支払システム（ＧＣＤ）や、買物複数物品の一括清算、統一製品の一括検査、合格品用認識タグなど、本発明のカード・タグ・チップ等を利用する事により、清算のスピード化、確実化、企業の合理化、犯罪の防止として本願システムを出入口設け、出入り商品のチェック機能を加え不正搬入及び不正持出などの防止機能として利用できる。なお記憶媒体読取方式は接触式、又は非接触式を問はない。
【０００８】  前記一例である遊戯用換金システムに置いて、現在換金景品は等価であると風営法において記載されているにも係わらず、殆どの金銭交換景品が等価でなく中には金と称するものが金メッキの鉛であったり、５０００円商品が１００円の景品により不正支払いと換金が行われているのが現状であるが、このような行為は不正取引であり、更に脱税行為でもでもある。そこで出願人は本発明によりこれらの不正取引及び脱税行為を防止する事により国家の規定である風営法に基づく支払システムの確立に対する一助として本案を提出するものである。
【０００９】  又、現行の遊戯換金システムにおいては、遊戯客が不正換金用品（カード・メタル等）を換金窓口に提示し、混乱を引き起こすケースが後をたたない。  それらの偽造カードは遊戯用換金カードに止まらず、商品カード、図書カード、商品券カード、交通用カード等切りが無い。  或る情報によると鉄道用カード「スイカ」の変造カードが格安で販売されているという噂もある。  出願人はメディアで公報される以前に、高速道路公団有料道路課長某氏に「偽造ハイウエイカード５００００円（５８，０００）カードが５００万枚偽造され、１枚１，８０００円で売られていが対策はあるのか」と忠告したことが有るがその真偽は新聞テレビにより諸氏の知るところである。  該「偽造ハイカ」は高速道路料金所に設置された清算機を盗み、更に該清算機を複製し印刷し該偽造カードにデータを打込み販売したものである。  前記「スイカ」は、噂によると同様の手口で、カードそのものを５００を支払い正規に買い取り、該正規のカードにデータ最高金額を打ち込み極密かに販売していると言われている。  本発明は、そのような偽造・変造・改造した記憶媒体に対処する目的と、より効果的に確実に素早く、音も微小におさえ確実に支払い行為を行う景品情報読み取り装置を提供することを目的として発明された景品情報、及び、広範囲の利用においては、各種各形態の記憶媒体を利用した情報読み取り装置を提供するものである。
【発明を実施するための最良の形態】
【００１０】  次ぎに、本発明を実施するための最良の形態について説明する。【００１１】  下記は本発明の好ましい実施の形態を示すもので、あくまでも一例に過ぎない事をご理解頂きたい。  図１は本発明の景品情報読み取り装置１の上部伏図（平面図）を示すものであるが、この装置は平面右側上部に、警告赤色灯６、及び、正常グリーン灯６の２つを有し、その下部に標示板（ディプレイ）４を有する。  更にその下部に操作ボタン５を、３つ左から、照合ボタン・支払い承認ボタン・クリヤーボタンの順に具備している。  該平面左側には、上部に音声装置発生穴７が有り、下部に記憶媒体を一括直列して収納部しデータ照会するための収納部３が有る。  又、景品情報読み取り装置の駆動開始は、各利用者が任意に設定した前記景品情報読み取り装置始動開始承認カードをもって行う。  該起動は、各社の前記景品情報読み取り装置取扱者が有する前記カード１４を景品情報読み取り装置のカード挿入口８に差し込む事により電源が入力される。  又更に機密の手段として前記取扱者は、前記カード機能と併せて規定の暗証コードを前記景品情報読み取り装置に打ち込み同読み取り装置を読取り可能な態勢におく事により不正を防止する事も出来る。  このように景品情報読み取り装置１の機動終了後、前記クリヤーボタンを押して、残存した前回のデータがある場合クリヤーし新規作業に入る事が出来る。支払い要求により提示された前記記憶媒体８はその支払い金額確認のため、前記収納部３に一括直列して収納され、本体内部に収納された尚、切り替えスイッチ２０により数字ボタン２１を用い暗証番号の打ち込み及び計算機として用いることが出来る。【００１２】  図２は上記図１の側面収納部２側を示す図である。この図で点線で示した収納部３は底部を傾斜して設けられ記憶媒体８が自重により直列に置かれるように工夫されている。各記号は上記と同じである。又傾斜上部には指示灯６側面が見え、同下部に操作ボタン５側面が見え、傾斜下部側面に始動開始承認カードがカード挿入口１８に差し込まれている。【００１３】  図３〜４は本発明の実施の形態の次の一例を示す図示である。本実施の形態は、図１を左右に分割し、左側（図３）の景品情報読取部本体２と、右側（図４）の表示部及び操作部・制御部１６・記憶媒体情報送受信部１２・送受信部１５、数字記入ボタン２０・数字基盤２１側を切り離して設けた形態を示したものである。  このように景品情報読み取り装置を分割する事により、よりコンパクトになり狭い置場所の間隙に分割した設置する事が可能である。この場合景品情報読み取り装置本体１と収納部２は相互有線又は無線により作動することが出来る。【００１４】  図４は上記図４の景品情報読取部本体２を示した一例である。【００１５】  図５は図３の収納部本体２の側面であるが、構造は収納部３に記憶媒体読み取り部１３と記憶媒体８個別認識システムである走査線による識別部１７（図７）を有する。【００１６】  図６は収納部本体２に記憶媒体８が直列に一括して収納された状態を示す分解図である。記憶媒体のそれぞれ側面の一定の高さに記憶媒体情報送受信部１２があり、前記記憶情報送受信部１２は光学的、物理的に読み取り可能な状態を呈する必要から、一定の微小な形状、模様、反射体等の記憶媒体状を有するものとし、前記記憶媒体８の正否を判別する識別方法における前記手段により読み取り可能な方法により予め記録させた前記形状情報などを読み取る事により記憶媒体の不正変造防止とする。【００１７】  図７は記憶媒体８が収納部本体２に収納されたＹ−Ｙ断面図を表すものである。図示の如く記憶媒体８は複数個一括し直列し収納部３に収納されている。  符号１７Ａ−１７Ｂは、記憶媒体個々の正否を請求項３記載の手段により識別する個別確認の走査線照射装置を示すものであり、前記記憶媒体個々の識別は、照射部１３求項２の手段により１７Ａから１７Ｂ（又はその反対でもよい）へと一瞬の走行走Ａから放射される前記請求項２記載の手段によって瞬時走行照射により確認される。尚、記憶媒体に記載された全てのデータは過去近似を問わず走査により確認する事が出来るが、一般日常の利用においては、前記記憶媒体直近のデータの読み取りは下図８に示す１３Ｂにより前記１３Ａ同類の読み取り手段により記憶媒体に包含されたＦＲＩＤタグの読み取りに置いて行われる。  符号１５は記憶媒体と記憶部本体を有線、又は、無線により情報通信を行うための送受信部であり、符号１６は制御装置である。  前記走査線確認の結果は表示部に表示され記憶部に記録される。、更には前記記憶媒体読取部１３を一定の形状に精密加工し、そこに規定の模様を刻みその検査反応により前記記憶媒体が正しいか、又は不正であるかを識別する事の機能を有することが出来る。前記詳細を図１５に示す。【００１８】  図８は図７の機能的平面を示すものである。収納部３の両側に設置された、個々の確認情報読取部１３Ａと及び、直近の記憶媒体の情報を読取部り演算し精算部に送受信する１３Ｂが、記憶媒体８の両側同位置に配置されている。ところで一般的に記憶媒体を収納部に直列一括して素早く収納する場合は、前記記憶媒体そのものの向きが表裏同一になるように合わせ、整える事が余分な手間となり、作業の障害となる。この問題に本発明は次の様に対処し、チクハグに収納しても何ら支障なく前記記憶媒体個々正否の確認、及び、利用上の読み取りとして直近の記憶媒体の情報の確実な読み取りを可能とする為に、記憶媒体８の情報送受信部１２に設けられた記憶媒体個々の情報形状（Ａ）の確認と、記憶媒体の精算情報（Ｂ）である直近情報の何れでも読み取れる機能を記憶媒体情報読取部１３に設定した。この手段により１３Ａ及び１３Ｂから読み取った前記２種類の情報は、自動的に照合し会い、その１３Ａ１３Ｂの２つの情報が合致しない場合には該記憶媒体に異状、又は不正が有ることになり防犯に役立つ。  該記憶媒体の情報、前記の如く読み取られ、制御装置１６を経由し、送受信装置１５をへて景品情報読み取り装置１に各情報を有線又は無線により送受信される。【００１９】  図９は図８のＸ−Ｘ断面図である。収納部本体２の上記断面図であるこの図示は、収納部３に一括直列して纏められた記憶媒体８と、前記記憶媒体情報送受信部１２から前記記憶媒体の情報を読み取る記憶媒体読み取り装置１３が示され、該記憶媒体読み取り装置１３により読み取られち情報は制御部１６を経て送受信部１５に送られ、前記景品情報読���取り装置１に送られる。この装置に前記図７に示した走査線発信孔（装置）を併設してもよい。【００２０】  図１０は記憶媒体８の一形態であるカード形態を示すものでものである。前記ＲＦＩＤタグ９のアンテナ部分１１は記憶媒体読み取り部１３に対向し各個等距離で向き合うように設定されている。このように寸分の狂い無く前記部分記号１２と１３が設定されることにより外部からの検査妨害に対処し、極近距離により読み取り作動が行われるから最良とデータを収集する事が可能である。前記、記憶媒体８のＦＲＩＤタグ９は、記憶媒体表裏材料に確実に挟み込まれ破壊破損を極めて有効に防止する事が出来る。  この場合の記憶媒体８はカード形式であるが、該カードそのものは機能を有せずタグ９そのものの損傷破壊を防止すると共に利用の形態において形成された一形状である。【００２１】  図１１は各種のＦＲＩＤタグ９の形態を示すものであるが、この形態にこだわるものではなく、例えば鉛筆の芯（スティック状）のように細い形状であればボールペンの芯部に入れれば個数の検索にもなる。  更にフイルムのように薄く変形可能なものでもよい。このような形態はＦＲＩＤタグではなくＩＣチップを用いた場合でも可能である。【００２２】  図１２はカード状記憶媒体８の厚さ（側面）の中心部に凹み状の帯び部分１２を設け、その凹み部分１２に極く接近してアンテナ１１を配置したＦＲＩＤタグ９又はＩＣタグ９（集積回路）を配置し、微小な読み取り力によりアンテナに働きかけ送受信可能にした形態を示したものである。前記の思わぬ利点にはカード素材による平面的加工の捩れの防止、及び、絶縁体の利用、又アンテナの保護機能がある。  前記タグ部の詳細図を下記に示したが溝２３があるが該溝２３に特別の情報、例えば光学的に読み取り可能な形状模様、又は、色別認識形態を持たせたり、特殊な合金、素材を用いる事により読み取り手段を変えて不正を防止し、併せて機密性をあげることが可能であると共に図１１に示した細い棒状のタグを埋め込んで利用するなどこの溝２３の利用の一例である。【００２３】  図１３はカード状記憶媒体に前記タグ及びチップを配置した例であるが、利用法により適宜に利用可能である。【００２４】  図１４の▲２▼▲３▼▲４▼は各種記憶媒体の形態を示したもので有る。これらの形態により個々異種及び形態の情報を記憶させ読み取ることが可能である。これら記憶媒体の利用は別体包装に張り付け、又は混入しての精算、防犯、入出の管理の利用、更にはカウント利用、駕籠に入れてスーパーなどでの一括支払い利用スポーツ場への出入り、遊園地のカウント等あらゆる支払い精算に利用する事が出来る。更に▲４▼の袋状記憶媒体ケースではチャック部分かＦＲＩＤタグに経過日時を色彩で示す本出願人出願の特願２００１−２３２８７１号を利用すれば更に利便である。【００２５】  図１５は前記図７及び８記載の詳細である。記憶媒体８が、収納部３の底部に落ち着き収納されている。この図示であると収納部の内壁が、記憶媒体の外周部に接しているが、敢えて接してなくでもよい。  図のハッチラインで示した部分は景品情報読取部本体２のＸ−Ｘ断面図である。前記記憶媒体８は、前記景品情報読取部本体２の収納部３の内��の触れて収納されている。先ず、記憶媒体本体８には、該記憶媒体に記憶された情報が図１２で示した如く設けられ、この記憶媒体の情報がプールされている。このプールされた情報の読み取りは、記憶媒体８の側面に有る記憶媒体送受信装置１２を通じて、前記景品情報読取装置２にある記録媒体情報読取部１３により読み取られ、制御装置１６から景品情報読取装置１に設けられた演算部に送信され演算された後、該演算の詳細を記録され、送受深部１５を通じて記録部、支払い装置に伝達される。  前記１２に水平対向している１３Ａ、及び１３Ｂである記録媒体情報読み取り部は、前記記録媒体８の記録媒体情報送受信部１２に設けられている記憶媒体固有の符号２４を、それと紛らわしく形状記載されているカード外周部帯２５から正確に識別して、前記記憶媒体の正否を識別確認し、該模様形状が記録部本体の該記憶媒体と一致した場合に限り、次のステップとして前記記憶媒体のＦＲＩＤタグへの接続を承認する。  この記憶媒体個別認識は請求項２に記載した手段等により行われる。この検査照合手段の一例として、例えば図１０に示す記憶媒体に、図１６乃至は図の１７に示した記憶媒体固有の符号２４を与え、これを識別するには前記景品収納部３に水平に設けた走査線溝２２の奥の一定の距離に配置された走査線識別部１７Ａから１７Ｂに至る前記走査線識別部には、同溝２２に水平に設置された走査線発射装置が内蔵され、該装置は記憶媒体が収納部３に正確に一括垂直して収納され、操作ボタンにより照合が行われると、例えば走査線は１７Ａから１７Ｂへと瞬時に走行し、前記記憶媒体そのものの正否を識別する。  該識別の結果全て規定の記憶媒体であれば、表示灯６に緑色灯が点灯し、表示部には個別記憶媒体のデータが表示され、記録部に記録され保存される。  万一不正行為が有れば、赤色等が点灯し、該異状の内容が表示部に表示され、音声によっても異状が警告される。これらは、景品情報読取装置１及び、景品情報読取部２に設けられている各種制御機能、演算部、制御装置等により瞬時に行われる。【００２６】  図１６は記憶媒体８の側面を３分割し中央帯２３に記憶媒体固有識別符号２４を設けた一例である。例えば３ミリメートルの側面の記憶媒体であるカードの側面の中央帯２３の幅は１ミリメートルである。この幅に詳細に模様を記載、又は刻み込み、この形状の一点、又は特定の箇所の形状を固有の符号として記憶部本体記憶させ、それを記憶媒体に設けて該記憶媒体の符号とすれば、相当微小で微妙な符号として識別に効果がある。【００２７】  図１７は上記図１６記載の形状帯符号を記憶媒体全側面に施した一例である。【００２８】    図１８は前記記憶媒体に帯状に形状記号を設け、全く同一が類似の連鎖した帯状符号の中の一定の位置に、例えば記憶媒体８の側面、又は平面の一部の連鎖する符号２５の何れかを特定して位置決めし、番号２５〜４。又は２５〜３の様に、一見同一形状のある部署の一つ、又は複数の記憶媒体固有符号２４（２５〜４・２５〜３）を設けて記憶媒体正否の固有符号としてもよく、或る一定の数の割り符としてもよい。【００２９】  図１９は本発明のその他の外形を示した図である。図示の如く利用用途において携帯式など多くの��払い精算機として利用出来る。【００３０】  図２０は本発明のシステムの図示である。先ず、記憶媒体８を読み取る場合には、例えば記憶媒体８を記憶媒体読取部１３のある収納部３に直列に一括してぴったりセットして走査ボタン５の照合ボタンを押すと、前記カードにある記憶媒体８はその数量を走査線１７Ａ及び１７Ｂにより掲出され、前記記憶媒体の正否が照合される。（ステップ１）【００３１】前記照合が正しい場合はＹＥＳと認定され、ステップ３へと移行するが、該データの何れか（記憶媒体固有記号及びその金額）が不一致である場合、又、両者が不一致又は存在しない場合にはＮＯと判定され記憶媒体の使用は不許可となり同時に警告が行われ、音声又は表示により指摘が行われる（ステップ２）【００３２】上記照合の結果、ＹＥＳであれば前記記憶媒体の使用は承認される（ステップ３）【００３３】次ぎに前記承認の結果を経てこの記憶媒体の情報が読み取られ、その金額が記憶媒体の種類において判別され認定される（ステップ４）【００３４】前記の結果、当該記憶媒体の種類（金額・価値・等価）が、その記憶媒体そのものの種類に合致するか否かの識別が行われる。該認定が正しいときはＹＥＳと承認され次のステップへ進む事が容認されるが、否となるとＮＯと判定されるのでこの場合、当主の記憶媒体収納からの再操作する。前記警告時には記憶媒体９の使用は否定されると共に警告が表示と音声の任意の方法により発せら同時に記録される。（ステップ５）【００３５】前記照合が承認されるとＹＥＳと判定されると支払い金額が演算され、その結果が全てのデータ記憶部書き込まれ、不合致であればＮＯと断定されその結果が全てのデータ記録部に送られ記録される。又、同時に警報が音声及び表示部表示により同時に行われ、再認証手続きが要求される（ステップ６）演算後支払いは承認され記録される。【００３６】次ぎに演算され承認されたデータは支払の承認を記録する（ステップ７）【００３７】支払い承認が記録部全てに記録され終えた後、この支払いデータは金銭支払機械に有線又は無線で送信され記録する（ステップ８）【００３８】上記支払いデータを送信された金銭支払機（ＣＤ）は前記記憶媒体の正しい対価を支払い記録する（ステップ９）【００３９】図２１は本発明に係わる不正変造防止システムの一実施のブロック図である。【００４０】図２２は本発明に係わる記憶媒体（カードその他）の不正変造防止の登録手段の一例である。
【参考文献】
公開特許工法・特開平９−０１０４１８号
【参考文献】
公開特許公報・特開平７−２４６２８１号
【参考文献】
株式会社シェードシステム、Ｐｒｏｊｅｃｔ  インスペクターミニ
【参考文献】
セイラー    景品自動読取機    ＫＡＲ−７１
【図面の簡単な説明】
【００４１】本発明の好ましい実施の形態における概略を示す説明本発明の第一の実施例における景品情報読取装置伏図本発明の第一の実施例における景品情報読取装置側面図本発明の第二の実施例における景品情報読取部及び収納部伏図本発明の第二の実施例における景品情報表示部、及び操作部付図本発明の第二の実質例の景品情報読取部、及び収納部側面図本発明の景品側送受信部及び記憶媒体収納部断面図本発明の景品側送受深部に記憶媒体収納状態Ｙ−Ｙ断面図本発明の景品（記憶媒体）情報読取装置部平面図本発明の景品（記憶媒体）情報読取装置部Ｘ−Ｘ断面図本発明の景品カード形状記憶媒体本発明に利用するＦＲＩＤタグ類の一例である。本発明の精算用送受信用タグ及び固有符号タグ付き記憶媒体例本発明の精算用送受信部タグ溝断面図の一例本発明の用いる記憶媒体に埋設するＦＲＩＤタグ位置の一例本発明に用いる個別記憶媒体照合及び、情報読取法である本発明における記憶媒体の固有識別手段        同上        同上
【符号の説明】
【００４２】    １，景品情報読取装置          ２，景品情報読取部本体  ３，景品収納部    ４，表示部  ５，操作ボタン（左から照合・支払承認・クリヤー）ボタン    ６，表示灯（警告赤色・正常グリーン）７，音声表示部      ８，記憶媒体    ９，ＦＲＩＤタグ              １０，ＩＣ              １１，アンテナ    １２，記憶媒体情報送受信部    １３，記録媒体情報読取部Ａ・Ｂ    １４，景品情報読取装置可動承認カード  １５，送受信部  １６，制御装置    １７，走査線識別部Ａ・Ｂ      １８，始動開始承認カード挿入口    １９，記録紙取出口            ２０，計算機切替スイッチ    ２１，数字ボタン              ２２，走査線発信孔        ２３，溝    ２４，記憶媒体固有符号        ２５，記憶媒外周帯
【図１】
2008192116.tif 000003
【図２】
2008192116.tif 000004
【図３】
2008192116.tif 000005
【図４】
2008192116.tif 000006
【図５】
2008192116.tif 000007
【図６】
2008192116.tif 000008
【図７】
2008192116.tif 000009
【図８】
2008192116.tif 000010
【図９】
2008192116.tif 000011
【図１０】
2008192116.tif 000012
【図１１】
2008192116.tif 000013
【図１２】
2008192116.tif 000014
【図１３】
2008192116.tif 000015
【図１４】
2008192116.tif 000016
【図１９】
2008192116.tif 000017
【図１５】
2008192116.tif 000018
【図１６】
2008192116.tif 000019
【図１７】
2008192116.tif 000020
【図１８】
2008192116.tif 000021
【図２０】
2008192116.tif 000022
【図２１】
2008192116.tif 000023
【図２２】
2008192116.tif 000024
【手続補正書】
【提出日】平成19年7月5日(2007.7.5)
【手続補正１】
【補正対象書類名】明細書
【補正対象項目名】００４１
【補正方法】変更
【補正の内容】
【００４１】
【図１】  本発明の好ましい実施の形態を示す平面図。
【図２】  図１の側面図。
【図３】  本発明の異なる実施の形態に使用する景品情報読取部本体を示す平面図。
【図４】  図３に示す景品情報読取部本体とともに使用する他の部分の平面図。
【図５】  図３の側面図。
【図６】  本発明の実施の形態における収納部本体に収容された記憶媒体読取部を示す部分断面図。
【図７】  本発明の実施の形態における収納部本体の前後方向の断面図である。
【図８】  図７の切断しない場合の平面図。
【図９】  図８のＸ−Ｘ線の断面図。
【図１０】  本発明に用いるカード形記憶媒体の一部を断面とした斜視図。
【図１１】  本発明に用いる各種のＦＲＩＤタグ記憶媒体の斜視図。
【図１２】  本発明に用いる異なる形式のカード形記憶媒体の一部を断面とした斜視図及び部分断面拡大図。
【図１３】  本発明に用いるチップを内蔵したカード形記憶媒体の一部を断面とした平面図。
【図１４】  本発明に用いる他の記憶媒体を示す斜視図。
【図１５】  図８に示した収納部本体の詳細図。
【図１６】  本発明に用いる記憶媒体の要部を示す部分拡大図。
【図１７】  図１６に示した記憶媒体の使用例を示す説明図。
【図１８】  図１７の更に詳しい説明図。
【図１９】  本発明の実施の形態の外形を示す斜視図。
【図２０】  本発明を実施するためのアルゴリズム。
【図２１】  本発明を実施する際に使用するブロック回路図。
【図２２】  本発明を実施する際に使用するブロック回路図。